(57)【要約】【課題】アクセサリを用いることなく、通常撮影と近接撮影とが可能なレンズ鏡筒を提供する。【解決手段】回転レンズ室１１に、撮影光学系を形成するレンズ群Ｌ１，Ｌ２を保持させ、直進レンズ室１２、カム筒１４等を用いて、レンズ群Ｌ１，Ｌ２を、保護フィルタ１７との間に隙間を有する反転位置に移動させる。そして、回転レンズ室１１を、反転用モータ２５、回転レンズ室ギア部１１ｃ等によって回転し、レンズ面Ｌ１ａ（入射面）とレンズ面Ｌ２ａ（射出面）とを反転し、撮影光学系の撮影可能な範囲を変更した。【選択図】図２
2006208457.tif 000002
【特許請求の範囲】
【請求項１】
撮影光学系を形成するレンズ群の一部又は全部から形成され、その入射面と射出面とが反転することにより、前記撮影光学系の撮影距離の変更が可能な回転レンズ群と、
前記回転レンズ群の前記入射面と前記射出面とを反転する反転機構と、
を備えたレンズ鏡筒。
【請求項２】
請求項１に記載のレンズ鏡筒において、
前記回転レンズ群が反転するために必要な領域を有する反転位置に、前記回転レンズ群を移動させる移動機構を備えること、
を特徴とするレンズ鏡筒。
【請求項３】
請求項１又は請求項２に記載のレンズ鏡筒において、
前記回転レンズ群は、前記撮影光学系の光軸に沿った方向に移動する移動筒に保持され、
前記反転機構は、前記移動筒に設けられ、前記回転レンズ群と一緒に移動すること、
を特徴とするレンズ鏡筒。
【請求項４】
請求項２又は請求項３に記載のレンズ鏡筒において、
前記移動機構は、前記回転レンズ群を前記光軸に沿った方向に移動させるカム機構であること、
前記カム機構は、
撮影状態において、前記回転レンズ群を前記光軸に沿った方向に移動する撮影移動領域と、
前記撮影移動領域とは異なる、前記回転レンズ群を反転位置に移動するための反転移動領域とを有すること、
を特徴とするレンズ鏡筒。
【請求項５】
請求項１から請求項４のいずれか１項に記載のレンズ鏡筒において、
前記回転レンズ群を保持し、カメラ本体のケースに移動可能に収容される鏡筒部材を備え、
前記反転機構は、前記鏡筒部材の移動にともない、前記回転レンズ群を反転すること、
を特徴とするレンズ鏡筒。
【請求項６】
請求項１から請求項５のいずれか１項に記載のレンズ鏡筒において、
前記撮影光学系は、第１の光軸と、前記第１の光軸とはその経路が異なる第２の光軸とを有し、
前記回転レンズ群の回転にともない、前記撮影光学系の前記光軸を前記第１又は第２の光軸へと切り換える光軸切換機構を備えること、
を特徴とするレンズ鏡筒。
【発明の詳細な説明】
【技術分野】
【０００１】
本発明は、近接撮影可能なレンズ鏡筒に関するものである。
【背景技術】
【０００２】
従来から、カメラのレンズ鏡筒は、近接撮影をするときには、光学特性の要求から、そのレンズの繰り出し量を大きくする必要があり、この繰り出し量は、撮影倍率を大きくするに従って大きくする必要がある。また、レンズ鏡筒は、この繰り出し量を大きくするために、鏡筒の光軸方向の長さを大きくする必要がある。
このため、一眼レフカメラを用いて近接撮影をする場合、近接撮影専用の交換レンズを用意しこれに交換したり、アダプタを用いて交換レンズの入射面と射出面を反転してカメラ本体に装着したりする必要があった。
一方、コンパクトカメラの場合、通常は、レンズ鏡筒の交換ができないので、近接撮影のために、撮影レンズの繰り出し量を大きくすると、カメラが大型になるという問題があった。このため、コンパクトカメラを用いて近接撮影をする場合、クローズアップレンズを撮影レンズの前面に取り付ける必要があった（例えば、特許文献１）。
いずれの場合も、専用のアクセサリ等を用いる必要があり不便であった。
【特許文献１】実開平３−１４６３８号公報
【発明の開示】
【発明が解決しようとする課題】
【０００３】
本発明の課題は、アクセサリを用いることなく、通常撮影と近接撮影とが可能なレンズ鏡筒を提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、撮影光学系を形成するレンズ群の一部又は全部から形成され、その入射面（Ｌ１ａ）と射出面（Ｌ２ａ，Ｌ１ｂ）とが反転することにより、前記撮影光学系の撮影距離の変更が可能な回転レンズ群（Ｌ１，Ｌ２）と、前記回転レンズ群（Ｌ１，Ｌ２）の前記入射面（Ｌ１ａ）と前記射出面（Ｌ２ａ，Ｌ１ｂ）とを反転する反転機構（２５等）と、を備えたレンズ鏡筒（３）である。
【０００５】
請求項２の発明は、請求項１に記載のレンズ鏡筒（３）において、前記回転レンズ群（Ｌ１，Ｌ２）が反転するために必要な領域を有する反転位置に、前記回転レンズ群（Ｌ１，Ｌ２）を移動させる移動機構（１２，１４，１５等）を備えること、を特徴とするレンズ鏡筒（３）である。
請求項３の発明は、請求項１又は請求項２に記載のレンズ鏡筒（３）において、前記回転レンズ群（Ｌ１，Ｌ２）は、前記撮影光学系の光軸（Ｏ）に沿った方向に移動する移動筒（１１，１２）に保持され、前記反転機構（２５等）は、前記移動筒（１１，１２）に設けられ、前記回転レンズ群（Ｌ１，Ｌ２）と一緒に移動すること、を特徴とするレンズ鏡筒（３）である。
請求項４の発明は、請求項２又は請求項３に記載のレンズ鏡筒（３）において、前記移動機構（１４，１５等）は、前記回転レンズ群（Ｌ１，Ｌ２）を前記光軸（Ｏ）に沿った方向に移動させるカム機構（１４，１５等）であること、前記カム機構（１４，１５等）は、撮影状態において、前記回転レンズ群（Ｌ１，Ｌ２）を前記光軸（Ｏ）に沿った方向に移動する撮影移動領域（１４ｈ，１５ｈ）と、前記撮影移動領域（１４ｈ，１５ｈ）とは異なる、前記回転レンズ群（Ｌ１，Ｌ２）を反転位置に移動するための反転移動領域（１４ｋ，１５ｋ）とを有すること、を特徴とするレンズ鏡筒（３）である。
請求項５の発明は、請求項１から請求項４のいずれか１項に記載のレンズ鏡筒（３）において、前記回転レンズ群（Ｌ１，Ｌ２）を保持し、カメラ本体（１）のケース（２）に移動可能に収容される鏡筒部材（３１）を備え、前記反転機構（３２，３３等）は、前記鏡筒部材（３１）の移動にともない、前記回転レンズ群（Ｌ１，Ｌ２）を反転すること、を特徴とするレンズ鏡筒（３）である。
請求項６の発明は、請求項１から請求項５のいずれか１項に記載のレンズ鏡筒（３）において、前記撮影光学系は、第１の光軸（Ｏ１）と、前記第１の光軸（Ｏ１）とはその経路が異なる第２の光軸（Ｏ２）とを有し、前記回転レンズ群（Ｌ１）の回転にともない、前記撮影光学系の前記光軸（Ｏ１）を前記第１又は第２の光軸（Ｏ２）へと切り換える光軸切換機構（４３）を備えること、を特徴とするレンズ鏡筒（３）である。
【発明の効果】
【０００６】
本発明によれば、以下の効果を奏することができる。
（１）本発明のレンズ鏡筒は、回転レンズ群と反転機構とを備えている。回転レンズ群は、撮影光学系を形成するレンズ群の一部又は全部から形成され、その入射面と射出面とが反転することにより、撮影光学系の撮影距離の変更が可能である。そして、反転機構は、回転レンズ群の入射面と射出面とを反転する。
これにより、レンズ鏡筒は、撮影光学系を形成するレンズ群の一部又は全部を回転させて、通常撮影、近接撮影用のレンズ鏡筒として使用することできる。
【０００７】
（２）本発明のレンズ鏡筒は、回転レンズ群が反転するために必要な領域を有する反転位置に、回転レンズ群を移動させる移動機構を備えている。
これにより、レンズ鏡筒は、例えば、近接撮影への切り換えのために、回転レンズ群を回転させるときに、撮影時とは別の位置に回転レンズ群を移動することができるので、撮影時のレンズ鏡筒の大きさを小型にすることができる。
（３）本発明のレンズ鏡筒は、移動筒が、回転レンズ群を撮影光学系の光軸に沿った方向に移動可能に保持している。また、回転レンズ群の反転機構は、この移動筒に設けられ、回転レンズ群と一緒に移動する。
これにより、レンズ鏡筒は、沈胴式のレンズ鏡筒とすることができ、撮影時にレンズ群を光軸に沿った方向に移動することができる。また、回転レンズ群は、回転するための領域がある場合には、光軸に沿った方向の任意の位置で回転することができる。
（４）本発明のレンズ鏡筒は、回転レンズ群を光軸に沿った方向に移動させる移動機構が、カム機構である。このカム機構は、撮影移動領域と反転移動領域とを有している。カム機構は、撮影するときは、撮影移動領域において、回転レンズ群を光軸に沿った方向に移動することができる。また、回転レンズ群を反転させるときは、反転移動領域において、回転レンズ群を反転位置に移動することができる。
これにより、レンズ鏡筒は、例えばカム筒等を用いることにより、沈動式のレンズ鏡筒にすることができるので、撮影するときは、ズーミングやフォーカシングをすることができ、また、回転レンズ群を反転させるときは、回転レンズ群を反転位置に移動することができる。
（５）本発明のレンズ鏡筒は、カメラ本体のケースに移動可能に収容される鏡筒部材が、回転レンズ群を保持している。そして、反転機構は、鏡筒部材の移動にともない、回転レンズ群を反転する。
これにより、レンズ鏡筒は、鏡筒部材をカメラ本体のケース内で移動させる機構を利用して、通常撮影の状態と近接撮影の状態との切り換えを行うことができる。
（６）本発明のレンズ鏡筒は、撮影光学系が、第１の光軸と、第１の光軸とはその経路が異なる第２の光軸とを有している。そして、光軸切換機構が、回転レンズ群の回転にともない、撮影光学系の光軸を第１又は第２の光軸へと切り換えることができる。
これにより、レンズ鏡筒は、撮影光学系の焦点距離を変更することができるので、複数の焦点距離を備えることができる。
【発明を実施するための最良の形態】
【０００８】
本発明は、アクセサリを用いることなく、通常撮影と近接撮影とが可能なレンズ鏡筒を提供するという目的を、カム筒等を用いて、撮影光学系を形成する回転レンズ群を、回転レンズ群が反転するために必要な領域を有する反転位置に移動し、そして、回転レンズ群を保持する回転レンズ室を、反転用モータ、回転レンズ室ギア部を用いて回転し、回転レンズ群の入射面と射出面とを反転し、撮影光学系の撮影距離を変更することによって実現した。
【実施例１】
【０００９】
以下、図面等を参照して、本発明の実施例をあげて、さらに詳しく説明する。
図１は、本発明を適用した実施例１のレンズ鏡筒が設けられたカメラ１Ａを示す図であり、図１（ａ）は、平面図であり、図１（ｂ）は、正面図である。
実施例１におけるカメラ１Ａは、通常撮影の状態から近接撮影の状態への切り換えを、マクロボタンの操作によって、撮影光学系を構成するレンズ群を反転させることにより実現したデジタルスチルカメラである。
図１（ｂ）に示すように、カメラ１Ａは、その正面にケース２と、レンズ鏡筒３と、照明光発光部４と、また、その内側に２点鎖線内に示すように、フォーカス用モータ５と、ウォームギア５ａと、フォトインタラプタ５ｂと、ギア列６と、フォトリフレクタ６ｃとを備えている。
ケース２は、カメラ１Ａの最外郭部であり、図１（ｂ）に示すように、カメラ正面から見ると、左右方向に長い直方体に形成されている。
レンズ鏡筒３は、カメラ１Ａの撮影光学系を構成する部分であり、ケース２の略中央に配置されている。実施例１のレンズ鏡筒３は、オートフォーカス機能を備えた単焦点の沈胴式のレンズ鏡筒である。レンズ鏡筒３については後述する。
【００１０】
照明光発光部４は、被写体に閃光を当てるための閃光発光装置であり、矩形状をしており、図１（ｂ）に示すように、ケース２の右上の範囲に配置されている。
フォーカス用モータ５は、レンズ鏡筒３をケース２からの繰り出し、また、ケース２への収納を行うための駆動部であり、例えばＤＣモータである。フォーカス用モータ５は、図１（ｂ）に示すように、ケース２の右側の範囲に、その回転軸を下側に向けて収容される。
ウォームギア５ａは、フォーカス用モータ５の回転を、後述するギア列６に伝達するために、フォーカス用モータ５の回転軸に設けられている。ウォームギア５ａは、フォーカス用モータ５側の端部から径方向外側に向け、フォーカス用モータ５の回転軸に対して垂直に円盤部が設けられている。この円盤部は、径方向に複数のスリット（図示せず）が設けられている。
フォトインタラプタ５ｂは、フォーカス用モータ５の回転を測定するために、発光素子と受光素子とが対向配置された電気部品である。発光素子と受光素子との間には、ウォームギア５ａの円盤部の一部が配置されている。フォトインタラプタ５ｂは、フォーカス用モータ５が回転しているときに、この円盤部のスリットの通過を検出することにより、ウォームギア５ａの回転数、つまり、フォーカス用モータ５の回転数を計測する。すなわち、フォトインタラプタ５ｂとウォームギア５ａの円盤部は、フォーカス用モータ５の回転数を計測するエンコーダである。
【００１１】
ギア列６は、フォーカス用モータ５の回転を沈胴式のレンズ鏡筒３に、適切な回転数にして伝達するために、フォーカス用モータ５とレンズ鏡筒３との間に設けられたギア列である。ギア列６は、ウォームホイール６ａを含む段ギア３つと、平ギア２つとから構成され、ウォームギア５ａ側から、この順に配置される。最終歯車である平ギア６ｂは、レンズ鏡筒３に回転を伝達し、また、そのカメラ１Ａにおける前後方向（図１（ａ）に示す上下方向）の長さが、レンズ鏡筒３の繰り出しの量を満足するように設定されている。
フォトリフレクタ６ｃは、レンズ鏡筒３の後述するカム筒１４の基準位置を測定するために設けられた、発光素子と受光素子とが同一面に配置された電気部品である。フォトリフレクタ６ｃは、カム筒１４の外側に配置され、カム筒１４の外周面に貼られた反射テープ（図示せず）の端面を検出することにより、カメラ１Ａの制御部（図示せず）がカム筒１４の基準位置を検知する。カム筒１４の回転は、この基準位置とフォーカス用モータ５の回転を計測することにより制御される。
【００１２】
図１（ａ）に示すように、カメラ１Ａは、その上面にレリーズボタン７と、パワーボタン８と、マクロボタン９とを備えている。
レリーズボタン７は、カメラ１Ａのレリーズを操作するための押しボタンであり、図１（ａ）に示すように、ケース２の上面の左前側の範囲に設けられている。
パワーボタン８は、カメラ１Ａの電源をＯＮ、ＯＦＦするための押しボタンであり、図１（ａ）に示すように、ケース２の右側の範囲に設けられている。
マクロボタン９は、カメラ１Ａにおける通常撮影の状態と近接撮影の状態とを切り換えるボタンであり、図１（ａ）に示すように、レリーズボタン７よりも後側に配置されている。カメラ１Ａは、通常撮影の状態において、マクロボタン９を押すことにより近接撮影の状態とされ、逆に、近接撮影の状態において、マクロボタン９を押すことにより通常撮影の状態とされる。
【００１３】
図２は、図１（ｂ）のＡ−Ａ部縦断面図であり、カメラ１Ａの沈胴時（電源ＯＦＦ）の状態を示す図である。
図２に示すように、カメラ１Ａは、その縦断面に、レンズ群Ｌ１，Ｌ２（回転レンズ群）と、回転レンズ室１１と、直進レンズ室１２と、直進筒１３と、カム筒１４と、固定筒１５と、シャッタユニット１６と、保護フィルタ１７と、ＣＣＤ台１８と、ＬＰＦ（ローパスフィルタ）１９と、ＣＣＤ（電荷結合素子）２０と、電気基板２１と、ＴＦＴ液晶表示２２と、保護パネル２３とを備えている。
レンズ群Ｌ１とレンズ群Ｌ２とは、レンズ鏡筒３の撮影光学系を形成するレンズ群であり、通常撮影の状態においては、光軸Ｏ上に被写体側（図２に示す左側）から、この順に配置されている。通常撮影の状態において、レンズ群Ｌ１の被写体側のレンズ面Ｌ１ａが被写体光の入射面であり、レンズ群Ｌ２の像面側（図２に示す右側）のレンズ面Ｌ２ａが射出面である。後述するように、レンズ鏡筒３は、この入射面と射出面とを反転することにより、撮影可能な距離の範囲を変更することができる。すなわち、通常撮影の状態と近接撮影の状態とを変更することができる（変更するための動作については、後述する）。
回転レンズ室１１は、レンズ群Ｌ１，Ｌ２を保持するために、光軸Ｏを中心とする円筒状に形成された部材である。回転レンズ室１１の光軸方向前側の開口部には、レンズ群Ｌ１が、また、光軸方向後側の開口部には、レンズ群Ｌ２が固定されている。回転レンズ室１１は、後述する直進レンズ室１２に保持される。
【００１４】
直進レンズ室１２は、回転レンズ室１１を光軸Ｏに対して垂直な軸回りに回転可能に保持し、また、回転レンズ室１１と一緒に光軸前後方向に移動する移動筒である。直進レンズ室１２は、円筒部１２ａと、テーパ部１２ｂとを有し、また、フォロアピン１２ｃが設けられている。
円筒部１２ａは、直進レンズ室１２の光軸方向前側の部分であり、光軸Ｏを中心とする円筒状の部材である。テーパ部１２ｂは、直進レンズ室１２の光軸方向後側の部分でありその内径は、光軸方向後側に至るに従ってすり鉢状に狭くなる。テーパ部１２ｂは、その内径が、後述するようにレンズ群Ｌ１，Ｌ２、回転レンズ室１１が、光軸Ｏに対して垂直な軸回りに回転できる領域を確保するように設定されている。テーパ部１２ｂの後端の面は、撮影光学系の光路のために、光軸Ｏを中心とした円形の開口孔が設けられている。
フォロアピン１２ｃは、直進レンズ室１２が光軸前後方向に移動するときに、直進レンズ室１２をガイドするために、図２に示すように、テーパ部１２ｂの外周面から、径方向外側に向けて設けられたピンである。フォロアピン１２ｃは、後述する直進筒１３に設けられた直進ガイド孔１３ａ、及び、後述するカム筒１４に設けられたインナーカム１４ａに挿入されている。これにより、直進レンズ室１２は、光軸Ｏを中心として回転不可に、かつ、光軸前後方向に移動可能に、直進筒１３に収容される。
【００１５】
直進筒１３は、直進レンズ室１２を移動可能に保持し、また、後述するカム筒１４に移動可能に収容された直進筒である。直進筒１３は、直進レンズ室１２の外側に設けられた、光軸Ｏを中心とした円筒状の部材であり、直進ガイド孔１３ａと、バヨネットフランジ１３ｂと、フランジ部１３ｃとを有している。
直進ガイド孔１３ａは、直進レンズ室１２の光軸前後方向への移動をガイドするために、直進筒１３の円筒の側面に設けられた光軸前後方向に長い開口孔である。直進ガイド孔１３ａには、直進レンズ室１２のフォロアピン１２ｃが挿入されている。
バヨネットフランジ１３ｂは、直進筒１３と後述するカム筒１４とを、バヨネット結合させるために設けられた光軸Ｏに対して垂直なフランジである。バヨネットフランジ１３ｂは、直進筒１３の円筒部分の外周面後側（図２に示す右側）の部分から径方向外側に向け、数箇所設けられている。
フランジ部１３ｃは、直進筒１３の後端から径方向外側に向けて設けられたフランジであり、フランジ部１３ｃに設けられた直進キー（図示せず）が、後述する固定筒１５に設けられた公知の回転制限溝（図示せず）に挿入されている。
直進筒１３は、カム筒１４とバヨネット結合し、また、固定筒１５の回転制限溝に光軸回りの回転を制限されることにより、光軸Ｏを中心として回転不可に、かつ、カム筒１４と一緒に光軸前後方向に移動可能とされる。
【００１６】
カム筒１４は、直進レンズ室１２、直進筒１３等を光軸前後方向に移動させるために、直進筒１３を囲むように、光軸Ｏを中心として設けられた円筒状の回転筒である。カム筒１４は、フォーカス用モータ５（図１（ｂ）参照）の駆動力により、光軸Ｏを中心として回転され、光軸前後方向に移動する。カム筒１４は、インナーカム１４ａと、カム筒ギア部１４ｂと、バヨネット溝１４ｃと、フォロアピン１４ｅと、円環リブ１４ｆとを有している。
インナーカム１４ａは、直進レンズ室１２を光軸前後方向に移動させるために、カム筒１４の内周面に設けられた有底のカム溝である。インナーカム１４ａには、直進レンズ室１２に設けられたフォロアピン１２ｃが挿入されている。これにより、直進レンズ室１２は、カム筒１４の回転にともなって、インナーカム１４ａに従って光軸前後方向に移動する。インナーカム１４ａの形状については後述する。
カム筒ギア部１４ｂは、ギア列６の最終ギアである平ギア６ｂと噛合う、被駆動歯車であり、カム筒１４の外周面の後端に、全周に設けられている。カム筒ギア部１４ｂは、このカム筒ギア部１４ｂにフォーカス用モータ５の回転が、ギア列６を介して伝達されることにより、光軸Ｏを中心として回転する。
【００１７】
バヨネット溝１４ｃは、直進筒１３に設けられたバヨネットフランジ１３ｂと係合するために、カム筒１４の内周面後側（図２に示す右側）の範囲に、光軸Ｏに対して垂直に設けられた溝である。直進筒１３とカム筒１４とは、バヨネットフランジ１３ｂ、バヨネット溝１４ｃによってバヨネット結合される。
フォロアピン１４ｅは、カム筒１４と後述する固定筒１５とがカム結合するために、カム筒１４の外周面から径方向外側に向けて設けられたピンである。フォロアピン１４ｅは、固定筒１５に設けられたインナーカム１５ａに挿入されている。これにより、カム筒１４は、光軸Ｏを中心として回転されることにより、インナーカム１５ａに従って光軸前後方向に移動する。
円環リブ１４ｆは、カム筒１４の光軸方向前側の端部から径方向内側に向けて設けられた円環状のリブである。被写体からの光は、この円環の内側の開口孔から、レンズ鏡筒３に入射する。
【００１８】
固定筒１５は、レンズ鏡筒３の最外郭部であり、光軸Ｏを中心した円筒状の部材である。固定筒１５は、その内周面に、カム筒１４を光軸前後方向に移動させるために、インナーカム１５ａが設けられている。インナーカム１５ａは、有底のカム溝であり、カム筒１４に設けられたフォロアピン１４ｅが挿入されている。インナーカム１５ａの形状については後述する。また、固定筒１５は、その円筒の側面に、カム筒ギア部１４ｂとギア列６の平ギア６ｂとが噛合うために、光軸前後方向に長い矩形状の開口孔（図示せず）が設けられている。
【００１９】
シャッタユニット１６は、撮影時等にそのシャッタ幕を開き、撮像面に入射される光の量の加減を行う部材であり、直進レンズ室１２におけるテーパ部１２ｂの後側の面に設けられている。
保護フィルタ１７は、レンズ群Ｌ１，Ｌ２を保護し、また、レンズ鏡筒３の内側に異物等が入らないように、カム筒１４の円環リブ１４ｆの開口孔を覆うためのカバーである。保護フィルタ１７は、透明なガラス等の板材から形成される。
【００２０】
ＣＣＤ台１８は、後述するＣＣＤ２０等を固定筒１５に取り付けるための部材である。ＣＣＤ台１８は、光軸Ｏに対して垂直な平板状の部材である。ＣＣＤ台１８は、その光軸方向前側（図２に示す左側）の面の外縁部分が、固定筒１５の光軸方向後端の面と接するように、固定筒１５に固定される。ＣＣＤ台１８は、その開口部１８ａに、後述するＬＰＦ１９、ＣＣＤ２０等が収容される。開口部１８ａの周囲の板厚は、これらの部品を収容するために、他の部分よりも厚い。開口部１８ａには、ＬＰＦ１９を保持するためのストッパ１８ｂが全周に設けられている。ストッパ１８ｂは、開口部１８ａの光軸方向前側の縁部から径方向内側に向けて、開口部１８ａの全縁に設けられたリブである。
ＬＰＦ１９は、被写体光の高周波成分を取り除くための光学フィルタであり、レンズ群Ｌ２と後述するＣＣＤ２０との間に配置されている。ＬＰＦ１９は、その光軸方向前側の面の外縁部分がＣＣＤ台１８のストッパ１８ｂと当接し、その光軸方向後側の面の外縁部分がＬＰＦ押さえゴム１９ａに押圧されることにより、ＣＣＤ台１８に取り付けられている。
【００２１】
ＣＣＤ２０は、撮影光学系により結像された被写体像を電気信号に変換する、光−電子変換素子を有する直方体の電気部品であり、ＬＰＦ押さえゴム１９ａよりも光軸方向後側に、ＣＣＤ台１８の開口部１８ａの内側に配置されている。ＣＣＤ２０は、その受光面が光軸方向前側を向くように配置されている。ＣＣＤ２０は、その側面から光軸方向後側に向け、リードフレーム２０ａが設けられ、これが後述する電気基板２１に半田付けにより固定される。ＣＣＤ２０と電気基板２１との間には、放熱板２０ｂが挟まれている。放熱板２０ｂは、温度上昇によるＳ／Ｎ特性の悪化を防ぎ、撮影画質を向上させるために設けられた、ＣＣＤ２０の後側の面の外縁部分と接する枠体である。
【００２２】
電気基板２１は、ＣＣＤ２０が実装され、また、カメラ１Ａが備えた機能に必要な電気回路とその電気部品等が配設されたリジットプリント基板である。電気基板２１は、ケース２内の後側の範囲に、その部品実装面が光軸前後方向を向くように配置されている。
ＴＦＴ液晶表示２２は、薄膜トランジスタを用いたＬＣＤ（液晶表示ディスプレイ）であり、被写体観察時の画像や、撮像済みの画像を表示する装置である。ＴＦＴ液晶表示２２は、電気基板２１よりも後側に配置され、その表示画面が、被写体を観察しやすいように、カメラ１Ａの後側を向くように配置されている。
保護パネル２３は、ＴＦＴ液晶表示２２を保護するために、ＴＦＴ液晶表示２２の表示画面よりも光軸方向後側に配置された板状の部材である。保護パネル２３は、アクリル等の透明な樹脂等から形成されており、ＴＦＴ液晶表示２２の画面に対して平行に配置されている。
【００２３】
図３は、レンズ鏡筒３のインナーカムのカム曲線を示す図であり、図３は（ａ）は、固定筒１５のインナーカム１５ａのカム曲線を示す図、図３（ｂ）は、カム筒１４のインナーカム１４ａのカム曲線を示す図である。
図３（ａ）に示すように、インナーカム１５ａは、組立溝１５ｇと、撮影移動領域１５ｈと、無限遠位置１５ｉと、繰り出し位置１５ｊと、反転移動領域１５ｋと、切換位置１５ｍとを有している。
組立溝１５ｇは、カム筒１４を固定筒１５に組み込むために設けられた溝である。組立溝１５ｇは、固定筒１５の後端から光軸方向前側に向けて設けられている。カム筒１４の固定筒１５への組み込みは、固定筒１５にカム筒１４を光軸方向後側から挿入し、さらに、この組立溝１５ｇにフォロアピン１４ｅを挿入することにより行われる。
【００２４】
撮影移動領域１５ｈは、撮影時にカム筒１４を移動させるため、インナーカム１５ａに設けられたカム溝の部分であり、図３（ａ）に示すように、周方向右側に至るに従って、光軸方向前側へと変位する線形のカム溝である。カム筒１４は、フォロアピン１４ｅがこの撮影移動領域１５ｈにあるときに、フォーカス用モータ５等によって光軸Ｏを中心として回転されることにより、撮影移動領域１５ｈに従って光軸前後方向に移動する。
無限遠位置１５ｉは、撮影移動領域１５ｈの周方向左側の端部である。撮影時において、この無限遠位置１５ｉにフォロアピン１４ｅがあるとき、カム筒１４は、最も光軸方向後側に配置される。一方、繰り出し位置１５ｊは、撮影移動領域１５ｈの周方向右側の端部である。撮影時において、この繰り出し位置１５ｊにフォロアピン１４ｅがあるとき、カム筒１４は、最も光軸方向前側に配置される。
【００２５】
反転移動領域１５ｋは、無限遠位置１５ｉよりも周方向右側に設けられたインナーカム１５ａのカム溝の部分である。反転移動領域１５ｋは、周方向に対して平行な溝である。このため、カム筒１４は、この反転移動領域１５ｋにフォロアピン１４ｅがあるときに、光軸Ｏを中心として回転しても、光軸前後方向の移動が規制される。
切換位置１５ｍは、反転移動領域１５ｋの周方向右側の端部であり、回転レンズ室１１が光軸Ｏに対して垂直な軸回りに回転するときに（回転動作の詳細は、後述する。）、フォロアピン１４ｅが配置される部分である。
【００２６】
また、図３（ｂ）に示すように、インナーカム１４ａは、組立孔１４ｇと、撮影移動領域１４ｈと、無限遠位置１４ｉと、繰り出し位置１４ｊと、反転移動領域１４ｋと、切換位置１４ｍとを有している。
組立孔１４ｇは、直進レンズ室１２を組み込むためにインナーカム１４ａの左端に設けられた貫通孔である。直進レンズ室１２の組み込みは、最初に直進筒１３とカム筒１４とをバヨネット結合させ（図２参照）、次に直進筒１３に直進レンズ室１２を挿入し、さらに、フォロアピン１２ｃをこの組立孔１４ｇに挿入することにより行われる。
撮影移動領域１４ｈは、組立孔１４ｇよりも周方向右側に設けられたインナーカム１４ａのカム溝の部分である。撮影移動領域１４ｈは、周方向に対して平行な溝である。このため、直進レンズ室１２は、この撮影移動領域１４ｈにフォロアピン１２ｃがあるときに、カム筒１４が光軸Ｏを中心として回転しても、カム筒１４に対する光軸前後方向への移動が規制される。
無限遠位置１４ｉ，繰り出し位置１４ｊは、それぞれ撮影移動領域１４ｈの周方向左側、右側の端部である。無限遠位置１４ｉは、レンズ鏡筒３が沈胴状態のときに、フォロアピン１２ｃが配置される位置であり、一方、繰り出し位置１４ｊは、カム筒１４が最も光軸方向前側に繰り出されたときに、フォロアピン１２ｃが配置される位置である。
【００２７】
反転移動領域１４ｋは、直進レンズ室１２を光軸前後方向に移動するために、繰り出し位置１４ｊよりも周方向右側に設けられたインナーカム１４ａのカム溝の部分である。反転移動領域１４ｋは、図３（ｂ）に示すように、周方向右側に至るに従って、光軸方向後側へと変位する線形のカム溝を有している。直進レンズ室１２は、フォロアピン１２ｃがこの反転移動領域１４ｋにあるときに、カム筒１４が光軸Ｏを中心として回転するにより、反転移動領域１４ｋに従って光軸前後方向に移動する。
切換位置１４ｍは、反転移動領域１４ｋの周方向右側の端部であり、回転レンズ室１１が光軸Ｏに対して垂直な軸回りに回転するときに（回転動作の詳細は、後述する。）、フォロアピン１２ｃが配置される部分である。
【００２８】
以上説明したカメラ１Ａの、通常撮影の状態のフォーカシングについて説明する。以下、被写体が無限遠の状態から至近の状態へと変化する場合を例にして説明する。
図４は、カメラ１Ａの通常撮影の状態を示す図であり、図４（ａ）は、被写体が無限遠の場合にピントが合う状態を示し、図４（ｂ）は、被写体が至近の場合にピントが合う状態を示す。
図４（ａ）に示すように、被写体が無限遠の場合にピントが合う状態において、レンズ群Ｌ１，Ｌ２は、最も光軸方向後側に配置される。このときに、レリーズボタン７（図１参照）を押し下げることにより、カメラ１Ａの制御部（図示せず）が、公知の自動焦点合わせ制御により、撮影光学系のピントを合わせるためにフォーカス用モータ５を回転させる。フォーカス用モータ５の回転は、ギア列６を介してカム筒ギア部１４ｂに伝達され、カム筒１４が光軸Ｏを中心として回転する。カム筒１４と固定筒１５とは、カム結合しているので、カム筒１４は、固定筒１５の内側に設けられたインナーカム１５ａの撮影移動領域１５ｈに従って（図３（ａ）参照）、光軸方向前側に移動する。このとき、直進筒１３は、フランジ部１３ｃの直進キーと固定筒１５の回転制限溝（図示せず）とにより光軸Ｏを中心とした回転が規制され、また、カム筒１４と光軸Ｏを中心として回転可能にバヨネット結合している。このため、直進筒１３は、光軸Ｏを中心として回転することなくカム筒１４と一体で光軸方向前側に移動する。直進レンズ室１２は、フォロアピン１２ｃにより、カム筒１４とカム結合しているが、カム筒１４におけるインナーカム１４ａの撮影移動領域１４ｈは、周方向に対して平行であるため（図３（ｂ）参照）、直進筒１３及びカム筒１４と一体で光軸方向前側に移動する。また、回転レンズ室１１は、直進レンズ室１２に保持されているので、直進レンズ室１２と一体で、レンズ群Ｌ１，Ｌ２と一緒に、光軸方向前側に移動する。以上の動作によって、レンズ鏡筒３は、図４（ｂ）に示すように、被写体が至近の場合にピントが合う状態とされる。
図４（ｂ）に示す被写体が至近の場合にピントが合う状態では、図４（ａ）に示す被写体が無限遠の場合にピントが合う状態と比較すると、レンズ群Ｌ１，Ｌ２、回転レンズ室１１、直進レンズ室１２、直進筒１３、カム筒１４は、一体で移動し光軸方向前側に配置されている。
【００２９】
次に、カメラ１Ａの、通常撮影の状態から近接撮影の状態への切り換えの動作、機構について説明する。
通常撮影の状態において、マクロボタン９（図１（ａ）参照）を押し下げることにより、カメラ１Ａの制御部（図示せず）の命令によりフォーカス用モータ５が回転され、カム筒１４が光軸Ｏを中心として回転する。図３（ａ）に示すように、カム筒１４に設けられたフォロアピン１４ｅは、固定筒１５のインナーカム１５ａに従って移動する。フォーカス用モータ５は、フォロアピン１４ｅが撮影移動領域１５ｈの繰り出し位置１５ｊよりも右側に移動しても回転を続け、最終的に、フォロアピン１４ｅは、反転移動領域１５ｋの右側にある切換位置１５ｍに配置される。
同様にして、図３（ｂ）に示すように、直進レンズ室１２に設けられたフォロアピン１２ｃは、カム筒１４のインナーカム１４ａに従って移動し、反転移動領域１４ｋに従って、光軸方向後側に移動し、最終的に、反転移動領域１４ｋの右側にある切換位置１４ｍに配置される。
【００３０】
図５、図６は、フォロアピン１２ｃ,１４ｅが切換位置１４ｍ，１５ｍに移動し、レンズ群Ｌ１，Ｌ２、回転レンズ室１１が回転するために必要な領域を有する反転位置に移動した状態のカメラ１Ａの断面図である。図５は、図１のＡ−Ａ部縦断面図であり、図６は、Ｂ−Ｂ部横断面図である。
この状態において、レンズ群Ｌ１，Ｌ２は、図５に示すように、回転レンズ室１１、直進レンズ室１２と一緒に光軸方向後側に移動し、そして、保護フィルタ１７とレンズ群Ｌ１のレンズ面Ｌ１ａとの間に隙間が設けられ、反転するために必要な領域を有する反転位置に配置されている。
図６に示すように、カメラ１Ａは、Ｂ−Ｂ部横断面に、２つの回転軸２４と、反転用モータ２５と、反転用ギア２５ａと、回転レンズ室凹部１１ｂと、回転レンズ室ギア部１１ｃとを有している。
２つの回転軸２４は、回転レンズ室１１を回転するために設けられた回転軸であり、直進レンズ室１２の円筒部１２ａの左右方向の対向する位置に、それぞれ配置されている。回転軸２４は、円筒部１２ａに設けられた光軸Ｏに対して垂直な通孔１２ｄに挿入されている。さらに、回転軸２４の先端は、回転レンズ室１１の外周面に設けられた有底の軸穴１１ａに挿入されている。これにより、回転レンズ室１１は、直進レンズ室１２に回転軸２４を中心として回転可能に支持される。
【００３１】
反転用モータ２５は、図６に示すように、回転レンズ室１１を回転するために、直進レンズ室１２の外周面を窪ませて設けられた凹部に設けられている。反転用モータ２５は、回転軸がレンズ鏡筒３の内側を向くように配置されている。回転軸には、反転用ギア２５ａが設けられている。
回転レンズ室凹部１１ｂは、反転用ギア２５ａを配置するために、回転レンズ室１１の外周面を窪ませて設けられた溝である。回転レンズ室凹部１１ｂの平面形状（矢印Ｃ方向からの形状）は、回転軸２４を中心とした半円環形状である（図５に破線で示す。）。
回転レンズ室ギア部１１ｃは、反転用モータ２５の回転を回転レンズ室１１に伝達するために、回転レンズ室１１に設けられた被駆動歯車である。回転レンズ室ギア部１１ｃは、回転レンズ室凹部１１ｂの、回転軸２４側の側面に設けられており、反転用モータ２５の反転用ギア２５ａと噛み合っている。これにより、回転レンズ室１１は、反転用モータ２５の回転が伝達され、回転軸２４を中心として回転する。
【００３２】
前述したように、マクロボタン９（図１（ａ）参照）を押し下げることにより、図５、図６に示すように、直進レンズ室１２、回転レンズ室１１、レンズ群Ｌ１，Ｌ２が、光軸方向後側に移動し、保護フィルタ１７とレンズ群Ｌ１のレンズ面Ｌ１ａとの間に隙間が設けられる。これに続いて、カメラ１Ａの制御部は、反転用モータ２５に回転するように命令し、反転用ギア２５ａ等を介して、回転レンズ室１１を回転させる（回転方向を、図５に矢印Ｄ方向で示す。）。
【００３３】
図７は、レンズ群Ｌ１，Ｌ２が反転した状態のカメラ１Ａの縦断面図であり、図７（ａ）は、レンズ群Ｌ１，Ｌ２が反転した直後の状態を示す図、図７（ｂ）は、近接撮影における撮影時の状態を示す図である。
図７（ａ）に示すように、カメラ１Ａのレンズ鏡筒３は、レンズ群Ｌ１，Ｌ２が反転した状態において、通常撮影の状態に入射面であったレンズ面Ｌ１ａが射出面へと、射出面であったレンズ面Ｌ２ａが入射面へと反転している。また、この状態において、レンズ鏡筒３は、レンズ面Ｌ２ａと保護フィルタ１７との間に隙間を有しており、カム筒１４を光軸Ｏを中心として回転し、図３に示すように、フォロアピン１２ｃ，１４ｅを、それぞれ撮影移動領域１４ｈ，１５ｈへと移動する。
これにより、レンズ群Ｌ１，Ｌ２は、光軸方向前側に移動し、カメラ１Ａは、図７（ｂ）に示す撮影可能な状態になる。なお、図７（ｂ）は、レンズ鏡筒３が至近の状態、つまり、レンズ群Ｌ１，Ｌ２等の繰り出し量が最大の状態を示している。近接撮影の状態におけるフォーカシングについては、通常撮影の状態と同様に行われる。
【００３４】
なお、カメラ１Ａは、マクロボタン９の操作に応じて、例えば、カメラ１Ａの制御部が、照明光発光部４の照射角を変更する等の制御をすることにより、より近接撮影に適した設定に変更できるようにしてもよい。
【００３５】
以上説明したように、実施例１のレンズ鏡筒３は、回転レンズ室１１が撮影光学系を形成するレンズ群Ｌ１，Ｌ２（回転レンズ群）を保持している。そして、レンズ鏡筒３は、回転レンズ室１１を、反転用モータ２５、回転レンズ室ギア部１１ｃ等（反転機構）を用いて回転し、レンズ面Ｌ１ａ（入射面）とレンズ面Ｌ２ａ（射出面）とを反転し、撮影光学系の撮影可能な距離の範囲（撮影距離）を変更する。
これにより、レンズ鏡筒３は、通常撮影用及び近接撮影用のレンズ鏡筒として使用することできる。
【００３６】
また、実施例１のレンズ鏡筒３は、移動筒である回転筒１１、直進レンズ室１２、直進筒１３が、レンズ群Ｌ１，Ｌ２を撮影光学系の光軸Ｏに沿った方向に移動可能に保持している。反転用モータ２５、回転レンズ室ギア部１１ｃ等（反転機構）は、直進筒１３、直進レンズ室１２に設けられレンズ群Ｌ１，Ｌ２と一緒に移動する。そして、カム筒１４、固定筒１５等（移動機構、カム機構）は、撮影移動領域１４ｈ，１５ｈと反転移動領域１４ｋ，１５ｋとを有している。カム筒１４、固定筒１５等は、撮影状態のときは、撮影移動領域１４ｈ，１５ｈにおいて、レンズ群Ｌ１，Ｌ２を光軸Ｏに沿った方向に移動する。また、レンズ群Ｌ１，Ｌ２を反転させるときは、反転移動領域１４ｋ，１５ｋにおいて、レンズ群Ｌ１，Ｌ２を、保護フィルタ１７との間に隙間を設け、反転するために必要な領域を有する反転位置に移動させる。
これにより、レンズ鏡筒３は、沈動式のレンズ鏡筒とし、撮影時において、レンズ群Ｌ１，Ｌ２を光軸Ｏに沿った方向に移動して、フォーカシングをすることができる。さらに、レンズ群Ｌ１，Ｌ２を反転させるときは、レンズ鏡筒の外形を変えずに、レンズ群Ｌ１，Ｌ２を反転位置に移動することができる。このため、通常撮影と近接撮影とが可能な沈動式のレンズ鏡筒を、より小型にすることができる。
【実施例２】
【００３７】
次に、本発明を適用したレンズ鏡筒の実施例２について説明する。
なお、前述した実施例１と同様の機能を果たす部分には、同一の符号を付して、重複する説明を適宜省略する。
図８は、本発明を適用した実施例２のレンズ鏡筒が設けられたカメラ１Ｂを模式的に示す斜視図である。図９は、カメラ１Ｂの通常撮影の状態、近接撮影の状態における各レンズ、各ギアの配置等を示す図である。図９（ａ１）は、通常撮影の状態における光軸横断面図、図９（ａ２）は、通常撮影の状態におけるレンズ配置、各ギア等の状態を示す図である。また、図９（ｂ１）は、近接撮影の状態における光軸横断面図、図９（ｂ２）は、近接撮影の状態におけるレンズ配置、各ギア等の状態を示す図である。
実施例２のレンズ鏡筒は、カメラ１Ｂのケース２の内側で、レンズ鏡筒全体が左右方向にスライドすることにより、レンズ群Ｌ１，Ｌ２が回転し通常撮影と近接撮影との切り換えが可能なレンズ鏡筒である。その撮影光学系は、単焦点、固定焦点（パンフォーカス）である。
【００３８】
図８に示すようにカメラ１Ｂは、ケース２と、鏡筒ケース３１と、連動ギア３２と、駆動ギア３３と、スライドノブ３４とを備えている。
ケース２（２点鎖線で示す。）は、直方体をしており、その前面に矩形の窓２ａが設けられている。この窓２ａには、保護フィルタ１７が設けられている。
鏡筒ケース３１は、レンズ鏡筒３の外郭部材であり、直方体に形成されている。鏡筒ケース３１は、その前面に矩形の窓３１ａが設けられ、ここを通った被写体光がレンズ群Ｌ１に入射する。鏡筒ケース３１は、ケース２に、左右方向に移動可能に収容される。
連動ギア３２は、回転レンズ室１１を回転するための平ギアであり、回転レンズ室１１の上面に固定されている。連動ギア３２の回転軸３２ａの支持部（図示せず）は、ケース２に設けられている。すなわち、連動ギア３２は、ケース２に回転可能に支持され、また、回転レンズ室１１と一体で回転する。
【００３９】
駆動ギア３３は、後述するスライドノブ３４の左右方向の移動を回転移動に変換し、連動ギア３２に伝達する、扇形をした平ギアである。駆動ギア３３は、その回転軸３３ａの支持部（図示せず）が、ケース２に設けられている。また、図８に示すように、駆動ギア３３の上面には、駆動ピン３３ｂが植設され、これと後述するスライドノブ３４の係合リブ３４ｂとが係合している。
スライドノブ３４は、鏡筒ケース３１を移動し、回転レンズ室１１を回転させるための部材である。スライドノブ３４は、ノブ本体３４ａと、２つの係合リブ３４ｂと、連結部３４ｃとを有している。
ノブ本体３４ａは、直方体の部材であり、ケース２の上面に露出している。２つの係合リブ３４ｂは、ノブ本体３４aの底面に植設されたリブである。係合リブ３４ｂは、光軸Ｏに対して平行に設けられており、２つの係合リブ３４ｂの間に、駆動ギア３３の駆動ピン３３ｂが係合している。連結部３４ｃは、スライドノブ３４と鏡筒ケース３１とを連結するために、ノブ本体３４aの底面に設けられた腕状の部分である。
【００４０】
次に、実施例２によるカメラ１Ｂの、通常撮影状態から近接撮影状態への切り換え動作について説明する。
通常撮影の状態において、スライドノブ３４をカメラ左右方向（図８に示す矢印Ｅ方向）に、スライドさせる。スライドノブ３４に設けられた２つの係合リブ３４ｂの間には、駆動ギア３３の駆動ピン３３ｂが係合しているので、駆動ギア３３は、回転軸３３ａを中心として回転する。このとき、駆動ピン３３ｂは、２つの係合リブ３４ｂの間をカメラ左右方向に回転する。図９（ａ２）に示すように、連動ギア３２は、駆動ギア３３と噛合っているので、回転軸３２ａを中心として回転する。回転レンズ室１１は、連動ギア３２が固定されているので、回転軸３２ａを中心として回転する。
図９（ａ１）に示すように、通常撮影の状態において、レンズ群Ｌ１，Ｌ２、回転レンズ室１１は、保護フィルタ１７等との間に、回転するために必要な領域が設けられているので、保護フィルタ１７等に干渉することなく回転移動することができる。そして、レンズ群Ｌ１，Ｌ２、回転レンズ室１１は、図９（ｂ１）に示す近接撮影の状態における位置に配置される。
図９（ｂ１）に示すように、近接撮影の状態において、レンズ群Ｌ２のレンズ面Ｌ２ａが入射面となっており、通常撮影の状態（図９（ａ１）の状態）と比較すると、入射面と射出面とが反転している。
【００４１】
以上説明したように、実施例２のレンズ鏡筒３は、鏡筒ケース３１（鏡筒部材）がレンズ群Ｌ１，Ｌ２（回転レンズ群）を保持し、カメラ１Ｂのケース２に移動可能に収容される。そして、連動ギア３２、駆動ギア３３等（反転機構）は、鏡筒ケース３１の移動にともない、レンズ群Ｌ１，Ｌ２を反転する。すなわちレンズ鏡筒３は、鏡筒ケース３１をカメラ１Ｂのケース２の内側で移動させる機構を利用して、通常撮影と近接撮影との切り換えを行うことができる。
【実施例３】
【００４２】
次に、本発明を適用したレンズ鏡筒の実施例３について説明する。
図１０は、本発明を適用した実施例３のレンズ鏡筒が設けられたカメラ１Ｃを模式的に示す光軸断面図である。
実施例３のレンズ鏡筒は、２つの光軸Ｏ１，Ｏ２（第１の光軸，第２の光軸）を備え、撮影光学系を形成する一部のレンズ群が光軸Ｏ１又は光軸Ｏ２上へと回転移動することにより、光軸の切り換えが可能であると同時に、通常撮影と近接撮影との切り換えが可能なレンズ鏡筒である。
図１０に示すように、カメラ１Ｃは、その光軸断面にケース４０と、レンズ鏡筒３とを備えている。
ケース４０は、光軸方向前側（図１０に示す右側）の側面に、被写体光を入光するために、光軸Ｏ１，Ｏ２をそれぞれ中心とした、円形の開口孔４０ａ，４０ｂが設けられている。
【００４３】
図１０に示すように、レンズ鏡筒３は、撮影光学系を構成するレンズ群Ｌ１と、保護フィルタ１７ａ，１７ｂと、鏡筒ケース４１と、回転レンズ室１１と、ミラー４２と、回転ミラー４３（光軸切換機構）とを備えている。
鏡筒ケース４１は、レンズ鏡筒３の外郭部材であり、ケース４０に収容されている。鏡筒ケース４１は、光軸方向前側の側面に、被写体光を入光するために、ケース４０と同様に、開口孔４１ａ，４１ｂが設けられている。また、鏡筒ケース４１は、回転レンズ室１１を回転させるために、光軸Ｏ１，Ｏ２に対して垂直に設けられた回転軸４１ｃが設けられている。
保護フィルタ１７ａ，１７ｂは、レンズ群Ｌ１を保護し、また、レンズ鏡筒３の内側に異物等が入らないように、それぞれ開口孔４１ａ，４１ｂを覆うように、鏡筒ケース４１に設けられている。
レンズ群Ｌ１（回転レンズ群）は、回転可能に鏡筒ケース４１に収容され、回転することにより光軸Ｏ１，Ｏ２上へ移動する。図１０に実線で示すように、通常撮影の状態において、レンズ群Ｌ１は、レンズ面Ｌ１ａが入射面、レンズ面Ｌ１ｂが射出面になるように、光軸Ｏ１上に配置されている。
【００４４】
回転レンズ室１１は、レンズ群Ｌ１を保持し、回転可能に鏡筒ケース４１に収容されている。回転レンズ室１１は、レンズ室本体１１ｄと、円環部１１ｅと、腕部１１ｆとを有している。
レンズ室本体１１ｄは、光軸Ｏ１を中心とした円筒状の部材であり、通常撮影の状態において、レンズ群Ｌ１を光軸Ｏ１上に配置する。円環部１１ｅは、その中心孔に鏡筒ケース４１に設けられた回転軸４１ｃが挿入された円環状の部分である。これにより、回転レンズ室１１は、光軸Ｏ１，Ｏ２に対して垂直な軸回りに回転可能に鏡筒ケース４１に保持される。腕部１１ｆは、レンズ室本体１１ｄと円環部１１ｅとを連結する連結部分である。
回転レンズ室１１は、図１０に２点鎖線で示すように、通常撮影の状態から近接撮影の状態に切り換えるときに、回転軸４１ｃを中心として１８０度回転し、レンズ群Ｌ１を光軸Ｏ２上に配置する。
【００４５】
ミラー４２は、光軸Ｏ２を、後述する回転ミラー４３の方向へと、下側に屈曲するためのミラーである。図１０に示すように、ミラー４２は、光軸Ｏ２上に、光軸Ｏ２に対して４５度傾いた状態で、鏡筒ケース４１に固定されている。
回転ミラー４３は、図１０に示すように、通常撮影の状態において光軸Ｏ１の光路の外側に配置される。回転ミラー４３は、光軸Ｏ１，Ｏ２に対して垂直な回転軸４３ａを備えており、鏡筒ケース４１に回転可能に支持されている。回転ミラー４３は、図１０に２点鎖線で示すように、近接撮影の状態において、ミラー４２からの光軸Ｏ２を、ＣＣＤ２０の方向にさらに屈曲させるために、ミラー４２からの光軸Ｏ２に対して４５度傾けて配置される。
【００４６】
以上説明した、カメラ１Ｃの通常撮影の状態から近接撮影へ状態への切り換え動作について説明する。
カメラ１Ｃに設けられたマクロボタン（図示せず）を押すことにより、回転レンズ室１１は、回転軸４１ｃを中心として１８０度回転し、図１０に示す２点鎖線の位置に移動する。これにより、レンズ群Ｌ１が回転し、入射面と射出面とが反転することにより、すなわち、レンズ面Ｌ１ｂを入射面、レンズ面Ｌ１ａを射出面とすることにより、近接撮影をすることができる。また、回転レンズ室１１の回転移動に連動して、ミラー４３は、回転軸４３ａを中心として４５度回転し、２点鎖線で示す位置に移動する。以上により、カメラ１Ｃは、通常撮影の状態から近接撮影の状態に切り換わる。
近接撮影の状態において、被写体からの光軸Ｏ２は、ミラー４２によって、回転ミラー４３が配置されている下側に屈曲され、さらに、この屈曲された光軸Ｏ２は、回転ミラー４３によって、ＣＣＤ２０が配置されている後側に屈曲される。光軸Ｏ１と光軸Ｏ２とを比較すると、光軸Ｏ２の方が光軸Ｏ１よりも、対物レンズ（本実施例においては、レンズ群Ｌ１）からＣＣＤ２０（結像面）までの距離が長く、レンズ群Ｌ１が反転しているため、レンズ鏡筒３は、近接撮影の状態の撮影倍率が、通常撮影の状態の撮影倍率よりも高倍率になり、より近接撮影に適している。
【００４７】
以上説明したように、実施例３のレンズ鏡筒３は、撮影光学系が、光軸Ｏ１と、その光軸の経路が異なる光軸Ｏ２（第２の光軸）とを有している。そして、回転ミラー４３（光軸切換機構）が、レンズ群Ｌ１（回転レンズ群）の回転にともない、撮影光学系の光軸を光軸Ｏ１又は光軸Ｏ２へと切り換えることができる。
これにより、レンズ鏡筒３は、近接撮影の状態において、より高倍率とすることができる。
【００４８】
（変形例）
以上説明した実施例に限定されることなく、種々の変形や変更が可能であって、それらも本発明の均等の範囲内である。
（１）実施例１において、反転用モータ２５（アクチュエータ）を直進レンズ室１２に設けて、回転レンズ室１１を回転させる例を示したが、これに限定されない。例えば、カム筒を回転させるフォーカス用モータ５の回転を利用して回転レンズ室１１を回転させてもよい。
【００４９】
（２）実施例２，３においてレンズ鏡筒３は、固定焦点（パンフォーカス）のレンズ鏡筒である例を示したが、これに限定されず、フオーカシング機構を設けてもよい。
【００５０】
（３）各実施例においてレンズ鏡筒３は、単焦点のレンズ鏡筒である例を示したが、これに限定されず、ズーム機構を備えたレンズ鏡筒にしてもよい。
【００５１】
（４）実施例１においてレンズ鏡筒３は、通常撮影の状態と近接撮影の状態と切り換えを行なうために、レンズ群Ｌ１，Ｌ２を、回転するために必要な領域を有する反転位置に移動する例を示したが、これに限定されない。例えば、撮影時においても、レンズが回転するために必要な領域を確保できるようにしてもよい。これにより、レンズ鏡筒は、レンズを光軸に沿った方向における任意の位置で回転することができる。すなわち、通常撮影の状態と近接撮影の状態との切り換えを、任意に行なうことができる。
【００５２】
（５）各実施例においてレンズ鏡筒３は、カメラ１Ａ，１Ｂ，１Ｃに組み込まれている例を示したが、これに限定されない。例えば、カメラを一眼レフカメラとし、レンズ鏡筒を交換レンズ式にしてもよい。
【図面の簡単な説明】
【００５３】
【図１】本発明を適用した実施例１によるレンズ鏡筒３を備えたカメラ１Ａの外観図である。
【図２】実施例１によるレンズ鏡筒３等の光軸縦断面図である。
【図３】実施例１によるレンズ鏡筒３のインナーカムを示す図である。
【図４】実施例１によるレンズ鏡筒３の通常撮影状態を示す光軸縦断面図である。
【図５】実施例１によるレンズ鏡筒３の反転位置における光軸縦断面図である。
【図６】実施例１によるレンズ鏡筒３の反転位置における光軸横断面図である。
【図７】実施例１によるレンズ鏡筒３の近接撮影状態における光軸縦断面図である。
【図８】本発明を適用した実施例２によるレンズ鏡筒３を備えたカメラ１Ｂの斜視図である。
【図９】実施例２によるレンズ鏡筒３の光軸横断面、ギア配置を示す図である。
【図１０】本発明を適用した実施例３によるレンズ鏡筒３を備えたカメラ１Ｃの断面図である。
【符号の説明】
【００５４】
１Ａ，１Ｂ，１Ｃ    カメラ
２    ケース
３    レンズ鏡筒
４    照明光発光部
５    フォーカス用モータ
５ａ    ウォームギア
５ｂ    フォトインタラプタ
６    ギア列
６ａ    ウォームホイール
６ｂ    平ギア
６ｃ    フォトリフレクタ
７    レリーズボタン
８    パワーボタン
９    マクロボタン
１１    回転レンズ室
１１ａ    軸穴
１１ｂ    回転レンズ室凹部
１１ｃ    回転レンズ室ギア部
１１ｄ    レンズ室本体
１１ｅ    円環部
１１ｆ    腕部
１２    直進レンズ室
１２ａ    円筒部
１２ｂ    テーパ部
１２ｃ    フォロアピン
１２ｄ    通孔
１３    直進筒
１３ａ    直進ガイド孔
１３ｂ    バヨネットフランジ
１３ｃ    フランジ部
１４    カム筒
１４ａ    インナーカム
１４ｂ    カム筒ギア部
１４ｃ    バヨネット溝
１４ｅ    フォロアピン
１４ｇ    組立孔
１４ｈ    撮影移動領域
１４ｉ    無限遠位置
１４ｊ    繰り出し位置
１４ｋ    反転移動領域
１４ｍ    切換位置
１５    固定筒
１５ａ    インナーカム
１５ｇ    組立溝
１５ｈ    撮影移動領域
１５ｉ    無限遠位置
１５ｊ    繰り出し位置
１５ｋ    反転移動領域
１５ｍ    切換位置
１６    シャッタユニット
１７    保護フィルタ
１８    ＣＣＤ台
１９    ＬＰＦ
２０    ＣＣＤ
２０ｂ    放熱板
２１    電気基板
２２    ＴＦＴ液晶表示
２３    保護パネル
２４    回転軸
２５    反転用モータ
２５ａ    反転用ギア
３１    鏡筒ケース
３２    連動ギア
３２ａ    回転軸
３３    駆動ギア
３３ａ    回転軸
３３ｂ    駆動ピン
３４    スライドノブ
３４ｂ    係合リブ
４０    ケース
４１    鏡筒ケース
４１ｃ    回転軸
４２    ミラー
４３    回転ミラー
４３ａ    回転軸
Ｏ，Ｏ１，Ｏ２    光軸
Ｌ１，Ｌ２    レンズ群
Ｌ１ａ，Ｌ１ｂ，Ｌ２ａ    レンズ面
【図１】
2006208457.tif 000003
【図２】
2006208457.tif 000004
【図３】
2006208457.tif 000005
【図４】
2006208457.tif 000006
【図５】
2006208457.tif 000007
【図６】
2006208457.tif 000008
【図７】
2006208457.tif 000009
【図８】
2006208457.tif 000010
【図９】
2006208457.tif 000011
【図１０】
2006208457.tif 000012